【手続補正書】
【提出日】平成16年12月21日(2004.12.21)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【書類名】  明細書
【発明の名称】  テレビドアホン方式
【特許請求の範囲】
【請求項１】
訪問者がドアホン子機（１）の呼出ボタン（５）を押すことによりライン（２０）を通って室内親機（１２）のドアホン呼出検出回路（３１）で前記ドアホン子機からの呼出を検出し、制御装置（２６）によりチャイム音送出回路（３４）から呼出音を呼出スピーカ（７）で鳴動し、前記ドアホン子機のカメラ（２）で撮像された訪問者の画像を前記制御装置により前記室内親機のモニタ（６）で出画し、室内親機送受器（８）をフックオフすることにより前記ドアホン子機のマイク（３）、スピーカ（４）と前記室内親機送受器とにより通話を行なうテレビドアホン方式であって、
前記室内親機を不在とするとき外部切替スイッチ（１０）により外部副親機（１３）に切替えて、前記呼出ボタンが押された場合、前記ドアホン呼出検出回路で前記ドアホン子機からの呼出を検出し、前記制御装置によりデータ音声多重回路（２８）から呼出データとして変復調回路（２９）を介し電話回線（Ｌ）を通って前記外部副親機の変復調回路（２９ａ）で復調し前記呼出データを呼出データ検出回路（３１ａ）で検出し呼出スピーカ（７ａ）で鳴動し、前記画像を画像圧縮回路（２７）で画像圧縮し、前記変復調回路を介し前記電話回線を通って前記外部副親機の映像伸長回路（２９ｂ）で復調しモニタ（６ａ）で出画し、外部副親機送受器（８ａ）をフックオフすることにより前記ドアホン子機のマイク、スピーカと前記外部副親機送受器とにより通話を行なうことを特徴とするテレビドアホン方式。
【発明の詳細な発明】
【０００１】
【発明の属する技術分野】
【０００２】
本発明はテレビドアホン方式に関し、特に室内親機と外部副親機を切り替え、いずれかの親機とドアホン子機とで通話を行なうテレビドアホン方式に係わる。
【従来の技術】
【０００３】
映像と音声で来客と応答する従来のテレビドアホンは、図３に示すように、ドアホン子機１はカメラ２、マイク３、スピーカ４および呼出ボタン５を備え、ライン２０で室内親機１２ｂと接続されている。
室内親機１２ｂは、ドアホン呼出検出回路３１ｂ、チャイム音送出回路３４ｂ、呼出アンプ３５ｂ、呼出スピーカ７ｂ、平衡不平衡変換回路２１ｂ、映像ＦＭ復調回路２２ｂ、映像アンプ２３ｂ、モニタ６ｂ、音声ＡＭ復調回路２４ｂ、受話アンプ２５ｂおよび送話アンプ３２ｂ、室内親機送受器８ｂを設けた室内親機回路部３３ｂを備えている。
訪問者によりドアホン子機１の呼出ボタン５が押されると、ライン２０を通って室内親機１２ｂのドアホン呼出検出回路３１ｂでドアホン子機１からの呼出を検出し、チャイム音送出回路３４ｂから呼出音が送出され、呼出アンプ３５ｂで増幅され呼出音を呼出スピーカ７ｂで鳴動する。ドアホン子機１のカメラ２で撮像された訪問者の画像を平衡不平衡変換回路２１ｂ、映像ＦＭ復調回路２２ｂ、映像アンプ２３ｂを介してモニタ６ｂで出画し、訪問者を確認した室内親機側が室内親機送受器８ｂをフックオフすることにより、ドアホン子機１のマイク３、スピーカ４と室内親機送受器８ｂとの通話が可能になる。
【発明が解決しようとする課題】
【０００４】
上述のような従来のテレビドアホンでは、使用者が離れた住宅と店舗を持っている場合には、例えば、住宅にテレビドアホンを設置していても、住宅を出て離れた店舗にいるときにはテレビドアホンを使用できないという難点があった。同一屋内またはそれに相当する状況ならインターホンの増設で対応可能だが、まったく離れた建物に対しては、一方に設置したテレビドアホンを他方では使用不可能であった。
【０００５】
本発明はこのような難点を解消するためなされたもので、室内親機と外部副親機を切り替え、いずれかの親機とドアホン子機とで通話を行なうことができるテレビドアホン方式を提供することを目的とする。
【課題を解決するための手段】
【０００６】
この目的を達成するため、本発明のテレビドアホン方式は、訪問者がドアホン子機の呼出ボタンを押すことによりラインを通って室内親機のドアホン呼出検出回路でドアホン子機からの呼出を検出し、制御装置によりチャイム音送出回路から呼出音を呼出スピーカで鳴動し、ドアホン子機のカメラで撮像された訪問者の画像を制御装置により室内親機のモニタで出画し、室内親機送受器をフックオフすることによりドアホン子機のマイク、スピーカと室内親機送受器とにより通話を行なうテレビドアホン方式であって、室内親機を不在とするとき外部切替スイッチにより外部副親機に切替えて、呼出ボタンが押された場合、ドアホン呼出検出回路でドアホン子機からの呼出を検出し、制御装置によりデータ音声多重回路から呼出データとして変復調回路を介し電話回線を通って外部副親機の変復調回路で復調し呼出データを呼出データ検出回路で検出し呼出スピーカで鳴動し、画像を画像圧縮回路で画像圧縮し、変復調回路を介し電話回線を通って外部副親機の映像伸長回路で画像を伸長し、モニタで出画し、外部副親機送受器をフックオフすることによりドアホン子機のマイク、スピーカと外部副親機送受器とにより通話を行なうものである。
【０００７】
室内親機と外部副親機を切り替え、いずれか選択されている親機とドアホン子機とで通話を行なうことができる。
【発明の実施の形態】  
【０００８】
以下、本発明のテレビドアホン方式をその好ましい実施の形態例を示す図面を参照して詳述する。
【０００９】
図１に示すように、本発明のテレビドアホン方式は、映像と音声で来客と応答するテレビドアホン方式であって、ドアホン子機１はカメラ２、マイク３、スピーカ４および呼出ボタン５を備え、ライン２０で室内親機１２と接続されている。
【００１０】
室内親機１２は、ドアホン呼出検出回路３１に接続された制御装置２６である外部切替スイッチ回路を備え、制御装置２６からチャイム音送出回路３４を経て呼出アンプ３５、呼出スピーカ７が接続されている。また、ライン２０に接続されている平衡不平衡変換回路２１は映像ＦＭ復調回路２２に接続され、映像ＦＭ復調回路２２は映像アンプ２３に接続され、映像アンプ２３は制御装置２６に接続されている。
【００１１】
更に、ライン２０に接続されている音声ＡＭ復調回路２４は受話アンプ２５に接続され、受話アンプ２５は制御装置２６に接続され、制御装置２６は送話アンプ３２を介してライン２０に接続されている。
【００１２】
また、制御装置２６は室内親機回路部３３に接続され、室内親機回路部３３は、モニタ６、室内親機送受器８、制御装置２６の外部切替スイッチ回路を切替える外部切替スイッチ１０を備えている。  
電話回線Ｌを介して外部副親機１３に接続される室内親機１２は、制御装置２６に接続された画像圧縮回路２７およびデータ音声多重回路２８、画像圧縮回路２７およびデータ音声多重回路２８に接続された変復調回路２９を備え、変復調回路２９は電話回線Ｌおよび交換機ＥＸを介して外部副親機１３に接続されている。
【００１３】
外部副親機１３は、図２に示すように、電話回線Ｌに接続された変復調回路２９ａを有し、変復調回路２９ａから映像伸長回路２９ｂを介して室内副親機回路部３３ａに接続される。
【００１４】
また、変復調回路２９ａにはデータ音声多重回路２８ａが接続され、データ音声多重回路２８ａは、室内副親機回路部３３ａ、受話アンプ２５ａ、送話アンプ３２ａおよび呼出データ検出回路３１ａに接続されている。
【００１５】
受話アンプ２５ａおよび送話アンプ３２ａは室内副親機回路部３３ａに接続され、室内副親機回路部３３ａはモニタ６ａ、外部副親機送受器８ａを備えている。
【００１６】
呼出データ検出回路３１ａにはチャイム音送出回路３４ａが接続され、チャイム音送出回路３４ａは呼出アンプ３５ａに接続され、呼出アンプ３５ａには呼出スピーカ７ａが接続されている。
【００１７】
以下に本発明によるテレビドアホン方式の動作を説明する。
訪問者によりドアホン子機１の呼出ボタン５が押されると、ライン２０を通って室内親機１２のドアホン呼出検出回路３１でドアホン子機１からの呼出を検出し、検出された呼出し信号は制御装置２６に送られる。
室内親機回路部３３の外部切替スイッチ１０がＯＦＦのとき、呼出し信号は制御装置２６からチャイム音送出回路３４に送られ、チャイム音送出回路３４から呼出音が送出され、呼出アンプ３５で増幅されて室内親機本体３３の呼出スピーカ７を鳴動させる。
また、ドアホン子機１のカメラ２で撮像された訪問者の映像信号は、ライン２０を通って平衡不平衡変換回路２１を経由して映像ＦＭ復調回路２２で変調され、映像アンプ２３から制御装置２６に送られ、室内親機回路部３３のモニタ６に出画される。
呼出スピーカ７の呼出しおよびモニタ６の映像で来訪者を確認した室内親機側は、室内親機送受器８をフックオフしてドアホン子機１のマイク３、スピーカ４と、室内親機送受器８とにより、来訪者との通話を行うことができる。
室内親機回路部３３の外部切替スイッチ１０により外部副親機１３に切替えて（外部切替スイッチ１０がＯＮ）室内親機１２を不在としているとき、呼出ボタン５が押されると、ドアホン呼出検出回路３１でドアホン子機１からの呼出を検出し、制御装置２６によりデータ音声多重回路２８から呼出データとして変復調回路２９で変調され、電話回線Ｌを通って外部副親機１３に送信される。
送信された呼出データは、外部副親機１３の変復調回路２９ａで復調され、データ音声多重回路２８ａから呼出データ検出回路３１ａで検出され、チャイム音送出回路３４ａに送られ、チャイム音送出回路３４ａから呼出音が送出される。呼出音は、呼出アンプ３５ａで増幅されて室内副親機回路部３３ａの呼出スピーカ７ａを鳴動させる。
外部切替スイッチ１０がＯＦＦの時と同様に、制御装置２６により送られた画像データは、室内親機１２の画像圧縮回路２７で画像圧縮され、変復調回路２９で変調され、電話回線Ｌを通って外部副親機１３に送信される。
送信された画像データは、外部副親機１３の変復調回路２９ａで復調され、映像伸長回路２９bで伸長され、外部副親機回路部３３ａのモニタ６ａに出画される。
呼出スピーカ７ａの呼出しおよびモニタ６ａの映像で来訪者を確認した室内副親機側は、室内副親機送受器８ａをフックオフしてドアホン子機１のマイク３、スピーカ４と、室内副親機送受器８ａとにより、受話アンプ２５ａおよび送話アンプ３２ａ、データ音声多重回路２８ａ、変復調回路２９ａ、電話回線Ｌ、交換機ＥＸ、変復調回路２９、データ音声多重回路２８、制御装置２６、送話アンプ３２または音声ＡＭ復調回路２４、受話アンプ２５を介して来訪者との通話を行うことができる。
なお、上記実施例では、室内親機本体３３の外部切替スイッチ１０のオン・オフにより制御装置２６を切替たが、呼出検出とタイマーの設定により、数分以内の再呼においては自動的に外部副親機１３に切替える機能を採用しても同様に好適である。
このように本発明のテレビドアホン方式によれば、離れた住宅と店舗を持っている場合でも、室内親機１２と外部副親機１３とを切替えて、いずれからでも子機１と通話ができる。
【発明の効果】
【００１８】
以上の説明から明らかなように、本発明のテレビドアホン方式によれば、訪問者がドアホン子機の呼出ボタンを押すことによりラインを通って室内親機のドアホン呼出検出回路でドアホン子機からの呼出を検出し、制御装置によりチャイム音送出回路から呼出音を呼出スピーカで鳴動し、ドアホン子機のカメラで撮像された訪問者の画像を制御装置により室内親機のモニタで出画し、室内親機送受器をフックオフすることによりドアホン子機のマイク、スピーカと室内親機送受器とにより通話を行なうテレビドアホン方式であって、室内親機を不在とするとき外部切替スイッチにより外部副親機に切替えて、呼出ボタンが押された場合、ドアホン呼出検出回路でドアホン子機からの呼出を検出し、制御装置によりデータ音声多重回路から呼出データとして変復調回路を介し電話回線を通って外部副親機の変復調回路で復調し呼出データを呼出データ検出回路で検出し呼出スピーカで鳴動し、画像を画像圧縮回路で画像圧縮し、変復調回路を介し電話回線を通って外部副親機の映像伸長回路で画像伸長しモニタで出画し、外部副親機送受器をフックオフすることによりドアホン子機のマイク、スピーカと外部副親機送受器とにより通話を行なうので、室内親機と外部副親機を切り替え、いずれか選択されている親機とドアホン子機とで通話を行なうことができる。
【図面の簡単な説明】
【００１９】
【図１】
本発明によるテレビドアホン方式を説明する図。
【図２】
本発明によるテレビドアホン方式の部分を説明する図。
【図３】
従来のテレビドアホンを説明する図。
【符号の説明】
【００２０】
１‥‥‥ドアホン子機
１０‥‥‥外部切替スイッチ
１２‥‥‥室内親機
１３‥‥‥外部副親機
２‥‥‥カメラ
２０‥‥‥ライン
２６‥‥‥制御装置
２７‥‥‥画像圧縮回路
２８‥‥‥データ音声多重回路
２９‥‥‥変復調回路
２９ａ‥‥‥(外部副親機の)変復調回路
２９ｂ‥‥‥映像伸長回路
３‥‥‥マイク
３１‥‥‥ドアホン呼出検出回路
３１ａ‥‥‥呼出データ検出回路
３４‥‥‥チャイム音送出回路
４‥‥‥スピーカ
５‥‥‥呼出ボタン
６‥‥‥モニタ
６ａ‥‥‥(外部副親機の)モニタ
７‥‥‥呼出スピーカ
７ａ‥‥‥(外部副親機の)呼出スピーカ
８‥‥‥室内親機送受器
８ａ‥‥‥外部副親機送受器
Ｌ‥‥‥電話回線